(57)【特許請求の範囲】
【請求項１】
給紙トレイに積層して収容された複数の用紙を１枚ずつ取り出す給紙ローラを配設するとともに、この給紙ローラにより送られる用紙を搬送する紙送りローラを配設してなる給紙装置であって、前記給紙トレイに前記用紙を積層するためのホッパープレートを上下動自在に配設するとともに、前記給紙トレイに積層された最上部の用紙を前記給紙ローラに対して圧接させるために、ホッパープレートを上方に移動させるピックアップレバーを揺動自在に配設し、前記ピックアップレバーを前記紙送りローラを支持する紙送り駆動軸に揺動自在に取り付けたことを特徴とする給紙装置。
【請求項２】
前記ピックアップレバーを前記給紙トレイに積層された最上部の用紙を前記給紙ローラに対して圧接させる方向に付勢する付勢ばねを配設し、前記ピックアップレバーを揺動カムにより前記付勢ばねの付勢力に抗して前記用紙の最上部が前記給紙ローラから離隔する方向に揺動させるようにしたことを特徴とする請求項１に記載の給紙装置。
【発明の詳細な説明】
【０００１】
【発明の属する技術分野】
本発明は給紙装置に係り、特に、ピックアップレバーにより給紙トレイに積層収容された用紙を給紙ローラに圧接させることにより、給紙ローラによる給紙を行なうようにした給紙装置に関する。
【０００２】
【従来の技術】
一般に、コンピュータ、ワードプロセッサ、ファクシミリ等の出力装置として用いられている熱転写プリンタ等のプリンタが多く用いられている。
【０００３】
そして、このようなプリンタにおいては、複数枚の用紙を積層して収容する給紙トレイを着脱自在に装着し、この給紙トレイから給紙ローラにより最上部の用紙を１枚ずつ分離して取り出し、この用紙を紙送りローラに搬送してこの紙送りローラにより前記用紙を搬送するための給紙装置が設けられている。そして、この給紙装置により用紙を搬送しながら、この用紙に対して印字ヘッドにより所望の記録を行なうようになっている。
【０００４】
この場合に、本出願人は、給紙トレイにホッパープレートを上下動自在に配設するとともに、このホッパープレートの上面に用紙を積層して収容し、給紙トレイに積層された最上部の用紙を前記給紙ローラに対して圧接させるために、前記ホッパープレートを上方に移動させるピックアップレバーを揺動自在に配設するようにしてなる給紙装置を開発した。
【０００５】
そして、給紙トレイのホッパープレートをピックアップレバーにより上方に揺動させて給紙トレイの最上部の用紙を給紙ローラに圧接させた状態で、給紙ローラを回転駆動させることにより、用紙を分離して取り出し、紙送りローラに向けて搬送する。そして、この紙送りローラにより用紙が搬送される状態では、前記ピックアップレバーを揺動させてホッパープレートを下降させて用紙と給紙ローラとの圧接を解除するようになっている。
【０００６】
【発明が解決しようとする課題】
しかしながら、前述した従来の給紙装置においては、ピックアップレバーを揺動させるための揺動軸をプリンタのフレームに別個に設けるようにしているので、揺動軸の設置スペースが必要であり、また、部品点数の増大を招いてしまうという問題を有している。近年、特にプリンタの小型化、低価格化が図られるようになってきており、設置スペースを大きく確保することができず、また、部品コストも低く抑えることが要求され、従来の給紙装置では、このような要求に対応することができないという問題を有している。
【０００７】
本発明は前記した点に鑑みてなされたもので、ピックアップレバーにより給紙トレイの用紙を移動させる機構であっても、設置スペースの省スペース化を図離、装置の小型化を図ることができるとともに、部品点数を低減させることができ、部品コストの低減を図ることのできる給紙装置を提供することを目的とするものである。
【０００８】
【課題を解決するための手段】
前述した目的を達成するため本発明に係る給紙装置は、給紙トレイに積層して収容された複数の用紙を１枚ずつ取り出す給紙ローラを配設するとともに、この給紙ローラにより送られる用紙を搬送する紙送りローラを配設してなる給紙装置であって、前記給紙トレイに前記用紙を積層するためのホッパープレートを上下動自在に配設するとともに、前記給紙トレイに積層された最上部の用紙を前記給紙ローラに対して圧接させるために、ホッパープレートを上方に移動させるピックアップレバーを揺動自在に配設し、前記ピックアップレバーを前記紙送りローラを支持する紙送り駆動軸に揺動自在に取り付けたことを特徴とするものである。
【０００９】
この発明によれば、ピックアップレバーを紙送りローラを支持する紙送り駆動軸に揺動自在に取り付けるようにしているので、ピックアップレバーを揺動させるための揺動軸を別個に設ける必要がなく、設置スペースの省スペース化を図ることができ、装置の小型化を図ることができ、しかも、部品点数の低減を図り、部品コストを低減させることができるものである。
【００１０】
また、他の発明は、請求項１において、前記ピックアップレバーを前記給紙トレイに積層された最上部の用紙を前記給紙ローラに対して圧接させる方向に付勢する付勢ばねを配設し、前記ピックアップレバーを揺動カムにより前記付勢ばねの付勢力に抗して前記用紙の最上部が前記給紙ローラから離隔する方向に揺動させるようにしたことを特徴とするものである。
【００１１】
この発明によれば、通常状態では、付勢ばねの付勢力により、ピックアップレバーを給紙トレイに積層された最上部の用紙を給紙ローラに対して圧接させ、ピックアップレバーを揺動カムにより付勢ばねの付勢力に抗して用紙の最上部が給紙ローラから離隔する方向に揺動させるようにしているので、給紙ローラにより適正に用紙の給紙を行なうことができ、しかも、紙送りローラにより用紙の搬送が行なわれる場合には、用紙と給紙ローラとの圧接を解除して紙送りローラによる適正な用紙の搬送を行なうことができる。
【００１２】
【発明の実施の形態】
以下、本発明の実施形態を図１から図３を参照して説明する。
【００１３】
図１から図３は本発明に係る給紙装置を適用したプリンタの実施形態を示したもので、図１に示すように、本実施形態のプリンタは、底板１およびこの底板１の両側縁からそれぞれ立設された側板２，２とからなるフレーム３を有しており、このフレーム３の両側板２の中央部分には、紙送り駆動軸４が回転駆動自在に支持されており、この紙送り駆動軸４の中途部には、紙送りローラ５が取付けられている。また、この紙送りローラ５の上方には、この紙送りローラ５に圧接される圧接ローラ６が回転自在に支持されている。また、前記フレーム３の両側板２の一端部分には、給紙駆動軸７が回転駆動自在に支持されており、この給紙駆動軸７の中途部には、２つの給紙ローラ８，８が取付けられている。
【００１４】
また、前記フレーム３の一方の側板２には、図示しない駆動モータにより回転駆動させる駆動ギア９が配設されており、この駆動ギア９の回転駆動力を図示しない歯車伝達機構により紙送り駆動軸４に伝達して紙送りローラ５を回転駆動させることができるようになっている。また、前記駆動ギア９の回転駆動力は図示しない歯車伝達機構により給紙駆動軸７にも伝達されるようになっており、この駆動ギア９の回転により、前記紙送りローラ５とともに給紙ローラ８も回転駆動することができるようになっている。
【００１５】
さらに、本実施形態においては、前記フレーム３の下方には、ピックアップレバー１０が揺動自在に配設されている。このピックアップレバー１０は、紙送り駆動軸４に沿って延在する基板１１と、この基板１１の中央部から紙送りローラ５側に延在するレバー片１２と、前記基板１１の両端部からこの基板１１に対して直交する方向に延出された支持板１３とをそれぞれ有しており、前記基板１１の両端部の支持板１３を紙送り駆動軸４の両端部分に支持させることにより、基板１１およびレバー片１２とを紙送り駆動軸４を中心として揺動動作させることができるようになっている。さらに、このピックアップレバー１０は、図示しない付勢ばねにより、前記レバー片１２が上方に揺動する方向に付勢されており、また、前記駆動ギア９側に位置する支持板１３には、従動アーム１４が一体に取付けられている。
【００１６】
また、駆動ギア９には、揺動カム１５が同軸状に設けられており、この揺動カム１５の外周には、前記ピックアップレバー１０の従動アーム１４の先端部が追随するようになっている。駆動ギア９とともに回転駆動される揺動カム１５の回転により、従動アーム１４が揺動カム１５の外周面に沿って追随し、これにより、ピックアップレバー１０が付勢ばねの付勢力に抗して揺動動作できるようになっている。
【００１７】
また、前記フレーム３の内側には、図示しない記録ヘッドが配設されており、紙送りローラ５によって給紙される用紙の所定位置に文字や画像等の記録を施すことができるようになっている。
【００１８】
前記フレーム３の給紙ローラ８側には、複数枚の用紙（図示せず）を積層して収容する給紙トレイ１６が着脱自在に装着されており、この給紙トレイ１６の底板部分には、前記積層した用紙を支持するホッパープレート１７が上下に移動可能に配設されている。そして、給紙トレイ１６を装着した状態で、ホッパープレート１７の給紙ローラ８側の下面側にピックアップレバー１０のレバー片１２の先端部分が位置するようになっており、通常状態では、図２に示すように、付勢ばねの付勢力によりレバー片１２が上方に揺動してホッパープレート１７を上方に移動させて、給紙トレイ１６に収容された最上部の用紙を給紙ローラ８に圧接させるようになっている。
【００１９】
次に、前述した構成からなる本実施形態の作用について説明する。
【００２０】
本実施形態においては、図２に示すように、ピックアップレバー１０が上方に揺動されてレバー片１２によりホッパープレート１７を上方に移動させて、給紙トレイ１６に収容された最上部の用紙を給紙ローラ８に圧接させた状態から、駆動ギア９を駆動して給紙ローラ８および紙送りローラ５を回転駆動させることにより、給紙ローラ８により、給紙トレイ１６の最上部の用紙を分離して取り出し、紙送りローラ５に向けて搬送する。
【００２１】
そして、この用紙が紙送りローラ５まで搬送されると、紙送りローラ５により用紙を搬送しながら、前記記録ヘッドにより所定の画像情報に基づいて用紙に対して所望の記録が行なわれる。
【００２２】
このとき、駆動ギア９の回転に伴って揺動カム１５も回転駆動され、この揺動カム１５の外周面により従動アーム１４を押動することにより、図３に示すように、ピックアップレバー１０を付勢ばねの付勢力に抗して揺動させ、これにより、レバー片１２によるホッパープレート１７の上方への移動が解除され、給紙トレイ１６に収容された用紙の給紙ローラ８への圧接が解除される。
【００２３】
その後、紙送りローラ５により用紙を搬送しながら、記録ヘッドによる記録を継続して行なう。
【００２４】
したがって、本実施形態においては、ピックアップレバー１０を紙送り駆動軸４の両端部に取付け、ピックアップレバー１０を紙送り駆動軸４を中心として揺動させるようにしているので、ピックアップレバー１０を揺動させるために別個に揺動軸を設ける必要がなく、設置スペースの省スペース化を図ることができ、装置の小型化に適正に対応することができる。また、部品点数の低減を図ることができ、部品コストを低減させて低価格化に適正に対応することができる。
【００２５】
なお、本発明は、前記実施形態に限定されるものではなく、必要に応じて種々変更することができる。
【００２６】
【発明の効果】
以上述べたように本発明に係る給紙装置は、ピックアップレバーを紙送りローラを支持する紙送り駆動軸に揺動自在に取り付けるようにしているので、ピックアップレバーを揺動させるための揺動軸を別個に設ける必要がなく、設置スペースの省スペース化を図ることができ、装置の小型化を図ることができ、しかも、部品点数の低減を図り、部品コストを低減させることができるものである。
【００２７】
また、他の発明は、通常状態では、付勢ばねの付勢力により、ピックアップレバーを給紙トレイに積層された最上部の用紙を給紙ローラに対して圧接させ、ピックアップレバーを揺動カムにより付勢ばねの付勢力に抗して用紙の最上部が給紙ローラから離隔する方向に揺動させるようにしているので、給紙ローラにより適正に用紙の給紙を行なうことができ、しかも、紙送りローラにより用紙の搬送が行なわれる場合には、用紙と給紙ローラとの圧接を解除して紙送りローラによる適正な用紙の搬送を行なうことができる等の効果を奏する。
【図面の簡単な説明】
【図１】  本発明に係る給紙装置の実施の一形態を示す要部の斜視図
【図２】  本発明の給紙装置におけるピックアップレバーが上方に揺動された通常状態を示す側面図
【図３】  本発明の給紙装置における揺動カムによりピックアップレバーが下方に揺動された状態を示す側面図
【符号の説明】
３  フレーム
４  紙送り駆動軸
５  紙送りローラ
７  給紙駆動軸
８  給紙ローラ
９  駆動ギア
１０  ピックアップレバー
１２  レバー片
１４  従動アーム
１５  揺動カム
１６  給紙トレイ
１７  ホッパープレート
【図１】
0003735544.tif 000002
【図２】
0003735544.tif 000003
【図３】
0003735544.tif 000004